(57)【要約】患者から複数の流体を除去および送達することにおける使用のためのコンテナ支持デバイスが開示される。このコンテナ支持デバイスは、このコンテナ支持デバイスを重量スケールに連結するための取付け部材、この取付け部材に取付けられ、かつその垂直軸の周りで回転する形態の接続部本体、この接続部本体に固定された支持体本体、およびこの支持体本体から延びる少なくとも１つのコンテナ支持体を含む。上記取付け部材は、取付け部材ベースを備え得る。
2007506495.tif 000002
【特許請求の範囲】
【請求項１】
コンテナ支持体デバイスであって：
該コンテナ支持体デバイスを重量スケールに接続するための取付け部材；
該取付け部材に取付けられ、そしてその垂直軸の周りで回転する形態の接続部本体；
該接続部本体に固定された支持体本体；および
該支持体本体から延びる少なくとも１つのコンテナ支持体、を備える、コンテナ支持体デバイス。
【請求項２】
前記取付け部材が、取付け部材ベースを備える、請求項１に記載のデバイス。
【請求項３】
前記取付け部材上に位置決めされ、そしてそれに回転可能に接続された前記接続部本体を有する形態の回転マウントをさらに備える、請求項２に記載のデバイス。
【請求項４】
前記接続部本体が、第１の接続部材、および該第１の接続部材に移動可能な関係で接続される第２の接続部材をさらに備える、請求項１に記載のデバイス。
【請求項５】
前記第１の接続部材が、その上に位置する回転本体部を有する第１の接続部本体ベースをさらに備える、請求項４に記載のデバイス。
【請求項６】
前記接続部本体が、自在継ぎ手アセンブリをさらに備える、請求項１に記載のデバイス。
【請求項７】
前記自在継ぎ手アセンブリが、ブロックおよびピン自在継ぎ手をさらに備える、請求項６に記載のデバイス。
【請求項８】
前記自在継ぎ手アセンブリが、単一の回動接続部をさらに備える、請求項６に記載のデバイス。
【請求項９】
前記自在継ぎ手アセンブリが、２つの回動接続部をさらに備える、請求項６に記載のデバイス。
【請求項１０】
前記自在継ぎ手アセンブリが、複数の回動接続部をさらに備える、請求項６に記載のデバイス。
【請求項１１】
少なくとも２つのコンテナ支持体が、前記支持体本体の垂直軸から等距離にある、請求項１に記載のデバイス。
【請求項１２】
少なくとも１つのコンテナ支持体が、前記コンテナ支持体本体が前記支持体本体に回転可能な関係で接続される、請求項１に記載のデバイス。
【請求項１３】
少なくとも１つのコンテナ支持体が、バッグを支持するような形態である、請求項１に記載のデバイス。
【請求項１４】
少なくとも１つのコンテナ支持体が、前記支持体本体に移動可能に接続される、請求項１に記載のデバイス。
【請求項１５】
前記支持体本体が、コンテナ支持体本体を備える、請求項１４に記載のデバイス。
【請求項１６】
前記コンテナ支持体本体上に形成され、そしてその中に少なくとも１つのコンテナ支持体を受容するような形態であるコンテナ支持体チャネルをさらに備える、請求項１５に記載のデバイス。
【請求項１７】
前記コンテナ支持体デバイスが、血液濾過治療を提供するためのシステムに接続されるような形態である、請求項１に記載のデバイス。
【請求項１８】
コンテナ支持体デバイスであって：
該コンテナ支持体デバイスを重量スケールに接続するための取付け部材；
該取付け部材に取付けられ、そしてその垂直軸の周りで回転するような形態の接続部本体；
該接続部本体に取付けられ、そして該接続部本体の垂直軸の周りで回転するような形態の支持体本体；および
該支持体本体から延びる少なくとも１つのコンテナ支持体、を備える、コンテナ支持体デバイス。
【請求項１９】
前記接続部本体が、自在継ぎ手アセンブリを備える、請求項１８に記載のデバイス。
【請求項２０】
少なくとも１つのコンテナ支持体が、前記支持体本体に回転可能に接続される、請求項１８に記載のデバイス。
【請求項２１】
コンテナ支持体デバイスであって：
該コンテナ支持体デバイスを重量スケールに接続するための取付け部材；
該取付け部材に取付けられ、そしてその垂直軸の周りで回転するような形態である接続部本体であって、該取付け部材に対して回転可能な関係で接続される形態の第１の接続部材、および該第１の接続部材に接続される形態の第２の接続部材を有する接続部本体；
該第２の接続部材に移動可能に接続された支持体本体；ならびに
該支持体本体から延びる少なくとも１つのコンテナ支持体、を備える、コンテナ支持体デバイス。
【請求項２２】
前記接続部本体が、自在継ぎ手アセンブリをさらに備える、請求項２１に記載のデバイス。
【請求項２３】
少なくとも１つのコンテナ支持体が前記支持体本体に回転可能に接続される、請求項２１に記載のデバイス。
【請求項２４】
コンテナ支持体デバイスであって：
該コンテナ支持体デバイスを医療流体置換デバイスに接続するための取付け部材；
該取付け部材に取付けられ、そしてその垂直軸の周りで回転するような形態の接続部本体であって、該取付け部材に対して回転可能な関係で接続される形態の第１の接続部材、および該第１の接続部材に接続され、そして第１の弧Ａ１に沿って移動する形態の第２の接続部材を有する接続部本体；
該第２の接続部材に移動可能に接続され、そして第２の弧Ａ２に沿って移動するような形態の支持体本体；および
該支持体本体から延びる少なくとも２つのコンテナ支持体、を備える、コンテナ支持体デバイス。
【請求項２５】
弧Ａ２が弧Ａ１に対して垂直である、請求項２４に記載のデバイス。
【請求項２６】
少なくとも２つのコンテナ支持体が、前記支持体本体の垂直軸から等距離に位置決めされる、請求項２４に記載のデバイス。
【発明の詳細な説明】
【技術分野】
【０００１】
（背景）
医療手順において、種々の流体が、患者の循環系またはその他の生理学的システムに添加されるか、またはそれから除去され得る。例えば、多くの血液濾過および腎臓外置換治療が、患者の循環系または腎臓系から血液およびその他の流体を除去および濾過し、そして処理された流体または置換流体を患者に戻す。例えば、血液濾過に基づく治療、血液濾過、血液透析、血液ダイアフィルトレーション、および血漿治療（ｐｌａｓｍａｔｈｅｒｅｓｉｓ）は、患者から所定量の流体を除去および置換する。これらの手順の間に、患者から除去および送達された流体の量は、緊密にモニターされなければならない。例えば、除去されたより多い量の流体の患者への送達は、不必要な器官緊張、または血液治療の場合、高血圧を生じ得る。対照的に、除去されたより少ない量の流体の患者への送達は、低血圧、脱水、器官不全、または多数のその他の関連する医学的合併症を生じ得る。
【背景技術】
【０００２】
流れポンプを制御し、そして患者への、または患者からの流体の送達を調節するような形態の１つ以上のスケールを取り込む多くの流体置換デバイスが開発されている。代表的には、これらのシステムは、患者から除去される流体の量を秤量するための第１の重量スケール、および患者に同時に送達される流体の量を秤量するための第２の重量スケールを利用する。過去において、これらのシステムは、首尾よいことが証明されているが、多くの欠点が識別されている。例えば、複数のスケールシステムは、較正することが困難および時間を浪費することが証明されている複雑なデバイスである。さらに、複数のスケールを利用するシステムは、オペレーターが、特定の手順の間に、それらの測定が絶えず変化している複数の秤量システムを正確にモニターすることを要求する。
【０００３】
応答して、単一の重量スケールを利用する代替のシステムが開発されている。これらの単一スケールシステムは、患者から除去され、そして同時に患者に送達される流体の量を測定かつ平衡化する。代表的には、その上に複数のコンテナ支持体を有するコンテナ支持体デバイスが重量スケールに接続される。患者からの流体を受容するための空のコンテナおよびその中に送達流体を有するコンテナが、このコンテナ支持デバイス上に位置決めされ、そして本質的に平衡化される。その後、供給ラインが、各コンテナ、および通常はこの供給ラインに接続されるペリスタポンプであるポンプに接続される。使用の間に、これらポンプは、流体を患者から除去し、そして同時に流体を送達する。理想的には、この手順の間に常時、これら２つのコンテナの合わせた重量は、実質的に一定のままである。それらに接続されたコンテナ支持体デバイスを有する重量スケールは、この手順の間に２つのコンテナの合わせた重量を常にモニターする。使用の間、２つのコンテナの合わせた重量が所定の限界を超えて変動すれば、アラームが誘導され、そしてこれらコンテナに連結されたポンプは作動を止める。複数スケールシステムとは対照的に、単一スケールシステムは、操作するのがより容易であり、そして複数スケールシステムより、較正するための時間がかなりより少ない。しかし、両方のシステムにともなう少なくとも１つの欠点は、秤量プロセスにおける不正確さから生じる。これら秤量システム内に存在するトルクまたはねじれ束縛は、重量測定正確度に影響し得る。さらに、これらシステムを平衡化し、そしてこれらを較正することは、時間を浪費し、そして労働集約的なプロセスである。さらに、これらシステムが複数（例えば、３以上のコンテナ）送達コンテナを支持する能力には、問題があることが証明された。より詳細には、患者から流体を受容するための１つのコンテナおよび患者に置換流体を送達するための１つのコンテナをモニターすること、および平衡化することが特定の成功とともに達成された。しかし、患者からの流体を受容するための１つのコンテナおよび患者に置換流体を送達するための複数のコンテナをモニターすること、および平衡化することはより問題があることが証明されている。
【発明の開示】
【発明が解決しようとする課題】
【０００４】
従って、前述を考慮して、医療手順の間に、物質秤量デバイスに接続するよう適合され、そして複数のコンテナを支持し得、そして平衡化し得るコンテナ支持体システムに対する継続する必要性が存在する。
【課題を解決するための手段】
【０００５】
患者から流体を除去し、そして患者に１つ以上の治療薬を送達しながら、１つ以上の材料のコンテナを支持するためのコンテナ支持体デバイスが開示される。本明細書に開示されるコンテナ支持体デバイスは、種々の重量スケールまたは測定デバイスに接続され得る。例えば、このコンテナ支持体デバイスは、患者に置換流体を提供することにおける使用のための流体デバイスに接続されたスケールに固定され得る。必要に応じて、このコンテナ支持体デバイスは、患者の身体から少なくとも１つの流体を除去するような形態の流体除去デバイスに接続されたスケールに固定され得る。
【０００６】
１つの例示の実施形態では、コンテナ支持体デバイスが開示され、そして、このコンテナ支持体デバイスを重量スケールに接続するための取付け部材、この取付け部材に取付けられ、そしてその垂直軸の周りで回転する形態の接続部本体、この接続部本体に固定された支持体本体、およびこの支持体本体から延びる少なくとも１つのコンテナを備える。
【０００７】
別の例示の実施形態では、コンテナ支持体デバイスが開示され、そして、このコンテナ支持体デバイスを重量スケールに接続するための取付け部材、この取付け部材に取付けられ、そしてその垂直軸の周りで回転するような形態の接続部本体、この接続部本体に取付けられ、そしてこの接続部本体の垂直軸の周りで回転するような形態の支持体本体、およびこの支持体本体から延びる少なくとも１つのコンテナ支持体を備える。
【０００８】
なお別の例示の実施形態では、コンテナ支持体デバイスが開示され、そして、このコンテナ支持体デバイスを重量スケールに接続するための取付け部材、この取付け部材に取付けられ、そしてその垂直軸の周りで回転するような形態である接続部本体、この取付け部材に対して回転可能な関係で接続される形態の第１の接続部材、およびこの第１の接続部材に接続される形態の第２の接続部材を有する接続部本体、この第２の接続部材に移動可能に接続された支持体本体、およびこの支持体本体から延びる少なくとも１つのコンテナ支持体を備える。
【０００９】
なお別の例示の実施形態では、コンテナ支持体デバイスが開示され、そして、このコンテナ支持体デバイスを医療流体置換デバイスに接続するための取付け部材、この取付け部材に取付けられ、そしてその垂直軸の周りで回転するような形態の接続部本体であって、この取付け部材に対して回転可能な関係で接続される形態の第１の接続部材、およびこの第１の接続部材に接続され、そして第１の弧Ａ１に沿って移動する形態の第２の接続部材を有する接続部本体、この第２の接続部材に移動可能に接続され、そして第２の弧Ａ２に沿って移動するような形態の支持体本体、およびこの支持体本体から延びる少なくとも２つのコンテナ支持体を備える。このようなコンテナ支持体は、上記接続部本体の垂直軸から等距離に位置決めされ得、そして上記の弧Ａ２は、弧Ａ１に対して垂直であり得る。
【発明を実施するための最良の形態】
【００１０】
コンテナ支持体デバイスの種々の例示の実施形態は、添付の図面によってより詳細に説明され、ここで、必ずしも同一または同じではないが、類似の特徴を有する構成要素は、同じ参照番号を有し得る。
【００１１】
（詳細な説明）
図１は、コンテナ支持体デバイスの１つの例示の実施形態を示す。示されるように、このコンテナ支持体デバイス１０は、接続部本体１４に接続された取付け部材１２を含む。その上に１つ以上のコンテナ支持体１８を有する支持体本体１６は、上記接続部本体１４に接続される。この例示の実施形態では、この接続部本体１４は、第１の接続部材２０および第２の接続部材２２を含む。必要に応じて、任意の数の接続部材が、この接続部本体１４を形成するために利用され得る。示されるように、この接続部本体１４および支持体本体１６は、垂直軸Ａｖに沿って同一直線上に位置決めされる。代替の実施形態では、この接続部本体１４および支持体本体１６は、共通の垂直軸に沿って位置決めされなくてもよい。コンテナ支持体デバイス１０またはその種々の構成要素は、種々のサイズで製造され、そして種々の材料コンテナを係合し、かつ支持するような形態であり得る。例えば、１つの実施形態では、上記コンテナ支持体デバイス１０は、血液濾過治療、腎臓外置換治療などに供するシステムのような、患者から流体を抽出し、そして患者に流体を送達するための所定長さのデバイスを有し得る。このコンテナ支持体デバイス１０に接続するための例示のコンテナは、制限されずに、バッグ、パウチ、ボトル、カップ、バケット、ボックス、および類似のデバイスを含む。さらに、コンテナ支持体デバイス１０またはその種々の構成要素は、例えば、ステンレス鋼、チタン、種々の金属合金、アルミニウム、セラミック材料、プラスチック、エラストマー、シリコーン、またはそれらの組み合わせを含む種々の材料から製造され得る。
【００１２】
図２および３は、コンテナ支持体デバイスとの使用のための取付け部材の例示の実施形態の種々の図を示す。示されるように、この取付け部材１２は、取付け部材ベース１０４、およびそれと連通する少なくとも１つの取付け部材側壁１０６を有する取付け部材本体１０２を含む。例示の実施形態では、この取付け部材１２は、取付け部材凹部１０８を形成する４つの取付け部材側壁１０６を含む。示されるように、この取付け部材ベース１０４は、その中に形成された少なくとも１つのファスナー凹部１１０を含む。このファスナー凹部１１０は、その中に少なくとも１つのファスナー１１２を受容するためのサイズであり、それによって上記取付け部材１２が任意の数のデバイスに接続されることを可能にする。例えば、１つの実施形態では、この取付け部材１２は、血液濾過デバイスまたは腎臓外置換治療デバイスに接続され得る。必要に応じて、この取付け部材１２は、使用者によって所望されるような任意の種々のデバイスまたは機構に接続され得る。図２および３を参照して、ファスナー１１２は、この取付け部材１２を、あるデバイスの上に位置決めされた支持体に接続するような形態の種々の固定デバイスを含み得る。例示の固定デバイスは、制限されずに、ねじ、ボルト、ピン、釘、ロック部材、またはこのコンテナ支持体デバイスの種々の部分を一緒に接続するような形態のその他の機構を含む。例示の実施形態では、回転マウント１１４が、上記取付け部材ベース１０４の表面に固定され、そして取付け部材凹部１０８内に位置決めされる。カプラー凹部１１６は、この回転マウント１１４上に位置決めされ、そしてその中にカプラー（ｃｏｕｐｌｅｒ）（図示せず）を受容するような形態であり、それによって、接続部本体１４が上記取付け部材１２に移動可能に接続されることを許容する（図１を参照のこと）。必要に応じて、上記取付け部材ベース１０４は、上記取付け部材凹部１０８内に位置決めされた回転マウント１１４なくして製造され得る。従って、上記取付けベース１０４は、取付け部材凹部１０８中に形成されたカプラー凹部１１６を含み得る。
【００１３】
図４〜８は、コンテナ支持体デバイスとの使用のための接続部本体の例示の実施形態を示す。示されるように、この支持体本体１４は、第１の接続部材２０および第２の接続部材２２を含み得る。この第１の接続部材２０は、それから延びる少なくとも１つの接続部本体側壁２０４を有する第１の接続部本体ベース２０２を含み得る。第１の接続部本体ピン２０８は、第１の接続部本体側壁２０４中に形成された第１の接続部本体ピンオリフィス２０６内に位置決めされ得る。図４および５に示されるように、第１の接続部本体ベース２０２および第１の接続部本体側壁２０４は、第１の接続部本体凹部２１０を形成し、これは、その中に第２の接続本体部材２２の少なくとも一部分を受容するようなサイズである。この第１の接続部本体ベース２０２は、その上に形成され、そしてその中に第１の接続部本体カプラー２１４を受容するようなサイズの第１の接続部本体接続ポート２１２をさらに含む。この第１の接続部本体カプラー２１４は、上記第１の接続部材２０上に位置する第１の接続部本体接続ポート２１２を横切るサイズであり得、そして上記取付け部材１２の取付け部材ベース１０４上に形成されたカプラー凹部１１６と係合する。（図２および３を参照のこと）。図５は、上記第１の接続部本体ベース２０２の表面上に位置決めされる回転本体部２１６を有する第１の接続部材２０の実施形態を示す。この回転本体部２１６は、上記取付け部材１２の取付け部材凹部１０８内に位置する回転マウント１１４を係合するようなサイズおよび形態であり得、それによって、上記第１の接続部材２０が、上記取付け部材１２上に形成された取付け部材凹部１０８に取付けられるとき、その中で回転することを許容する（図２および３を参照のこと）。従って、上記取付け部材１２の回転マウント１１４、または上記第１の接続部材２０のいずれか、または両方は、上記取付け部材１２に接続されるとき、上記第１の接続部材２０の回転を許容するための任意の適切な回転デバイスまたは材料を含み得る。例示の回転デバイスまたは材料は、制限されずに、ボールベアリングまたは円筒形ベアリングを含むベアリング、玉軸受、低摩擦材料もしくは超低摩擦材料、摩擦低減材料、低摩擦プラスチックまたはエラストマー、オイル、カーボン、テフロン（登録商標）、シリコーン、または類似の摩擦低減材料を含み得る。
【００１４】
図４〜８を再び参照して、第２の接続部材２２は、それから延びる少なくとも１つの第２の接続部本体側壁２２４を有する第２の接続部本体を含む。第２の接続部本体ピン２２８は、少なくとも１つの第２の接続部本体側壁２２４中に形成された第２の接続部本体ピンオリフィス２２６内に位置決めされる。第２の接続部本体取付け通路２３０は、第２の接続部本体ベース２２２内またはそれに隣接して形成され得る。１つの実施形態では、この第２の接続部本体取付け通路２３０は、その中に上記第１の接続部本体ピン２０６を受容するようなサイズおよび形態であり得る。例示の実施形態に示されるように、この第２の接続部本体取付け通路２３０は、上記第２の接続部本体ピン２１２に実質的に垂直である。代替の実施形態では、第２の接続部本体取付け通路２３０は、上記第２の接続部本体ピン２２８を横切り得るか、またはともに整列され得る。
【００１５】
図４および８に示されるように、この接続部本体１４は、第２の接続部本体部材２２が、上記第１の接続部本体２０に接続されるとき、弧Ａ１に沿って自由に動くことを許容するような形態であり、それによって単一の回動自在継ぎ手を形成する。さらに、上記支持体本体１６が上記第２の接続部本体部材２２に接続されるとき、この支持体本体１６は、弧Ａ２に沿って自由に動くことを許容する。示されるように、弧Ａ２は弧Ａ１に実質的に垂直である。しかし、Ａ２は、弧Ａ１に対して任意の角度で位置決めされ得る。従って、この接続部本体１４は、垂直アクセスＡｖに対する２つの点の回転の自由度を可能にする。さらに、この接続部本体１４は、第１の接続部本体カプラー２１４が上記第１の接続部本体ベース２０２上に形成された回転本体部２１４に近接して位置される第１の接続部本体接続ポート２１２内に位置決めされるとき、上記取付け部材１２に回転可能に接続され得る。結果として、この接続部本体１４は、上記取付け部材１２に回転可能に接続され、それによって上記垂直軸Ａｖに対する回転の自由の第３の点を許容し、そしてコンテナ支持体デバイス１０内に存在する束縛またはトルクを無くすか、または減少する。当業者は、任意の数の接続部本体が一緒に接続され得、複数の回動自在継ぎ手を形成することを認識する。
【００１６】
図９〜１１は、コンテナ支持体デバイス１０との使用のための支持体本体１６の例示の実施形態を示す。この例示の実施形態では、支持体本体１６は、その上に形成された第１の接続セクション３０２および第２の接続セクション３０４を有する本体３００を含む。この第１および第２の接続セクション３０２、３０４は、それぞれ、その中に上記第２の接続部材２２の第２の接続部本体ピン２２６を受容するようなサイズの少なくとも１つの接続リリーフ３０６を規定する。（図４〜８を参照のこと）。例示の実施形態では、２つの接続リリーフ３０６Ａ、３０６Ｂが上記支持体本体１６上に形成される。第１の接続アパーチャ３０８は、第１の接続セクション３０２上に形成され得る。同様に、第２の接続アパーチャ３１０が第２の接続セクション３０４上に形成され得る。この第１および第２の接続アパーチャ３０８、３１０は、それぞれ、それらを通る第２の接続本体部本体ピン２２６を受容するようなサイズである。代替の実施形態では、この第１および第２の接続アパーチャ３０８、３１０は、それぞれ、それらの中に上記第２の接続部材２２を接続するような形態の固定デバイスを受容するようなサイズであり得る。例示の固定デバイスは、制限されずに、ピン、ねじ、フック、アイボルト、ワッシャーまたは類似のデバイスを含む。必要に応じて、任意の数の接続セクションおよび接続アパーチャもまた本発明の範囲内にある。同様に、上記本体３００は、接続アパーチャの使用なくして当業者に公知の任意のその他の方法を用いて上記接続部本体１４に取付けられ得る。コンテナ支持体本体３１２は上記本体３００に固定され、そしてその上に位置決めされた少なくとも１つのコンテナ支持体１８を含む。１つの実施形態では、このコンテナ支持体本体３１２は、上記本体３００に固定して取付けられるか、または動かせないように取付けられる。例えば、コンテナ支持体本体３１２は、上記本体３００に溶接され得るか、またはその他の方法で固定される。代替の実施形態では、コンテナ支持体本体３１２は、上記本体３００に離脱可能に接続され得る。例えば、コンテナ支持体本体３１２は、ねじ適合関係で上記本体に接続され得る。必要に応じて、任意の数の離脱可能接続方法が、コンテナ支持体本体３１２を本体３００に接続するために用いられ得、制限されずに、スナップ適合関係、ピンで留められる関係、および摩擦適合関係を含む。必要に応じて、コンテナ支持体本体３１２は、上記本体３００に動かないように、または回転不能に接続され得る。代替の実施形態では、このコンテナ支持体本体３１２は、上記コンテナ支持体デバイス１０の垂直軸Ａｖの周りで回転可能であり得る。
【００１７】
図９〜１１を再び参照して、例示の実施形態は、コンテナ支持体本体３１２上に位置決めされた４つのコンテナ支持体１８を示す。必要に応じて、任意の数のコンテナ支持体１８が、コンテナ支持体本体３１２上に配置され得る。例えば、このコンテナ支持体本体３１２は、２つのコンテナ支持体１８を含み得る。さらに、複数のコンテナ支持体１８がこのコンテナ支持体本体３１２上に配置されるとき、これらコンテナ支持体１８は、一定または可変の幅、長さ、ピッチ、角度、または配向であり得る。図１０に示されるように、これらコンテナ支持体１８は、コンテナ支持体本体３１２に動かないように、または回転不能に固定され得る。例えば、これらコンテナ支持体１８は、コンテナ支持体本体３１２に、制限されずに、ねじ、ひも、ボルト、ピン、溶接、接着剤、またはそれらの任意の組み合わせを用いて接続され得る。代替の実施形態では、図１１は、移動可能な関係でコンテナ支持体本体３１２に固定されるコンテナ支持体１８を示す。例えば、これらコンテナ支持体１８は、コンテナ支持アクセスＡｓの周りで回転可能であり得る。例示の実施形態では、これらコンテナ支持体１８は、コンテナ支持体本体３１２に固定された円筒形本体部材を備える。必要に応じて、これらコンテナ支持体１８は、真っ直ぐな部材、湾曲した部材、クリップ、フック、ボトル支持体、カップまたは類似の形状を含む種々の形状で形成され得る。図９に示される実施形態では、これらコンテナ支持体１８は、上記支持体本体１６の垂直アクセスＡｖから等距離に位置決めされる。結果として、等しく秤量された材料コンテナが対向するコンテナ支持体１８上に位置決めされるとき、上記支持体本体１６は、この垂直軸Ａｖに沿って平衡化される。必要に応じて、これらコンテナ支持体１８は、上記支持体本体１６の垂直軸Ａｖから等距離または等しくない距離で位置決めされ得る。さらに、これらコンテナ支持体１８は、この垂直軸Ａｖに関して平衡を維持するように，コンテナ支持体本体３１２上に位置決めされ得る。
【００１８】
図１２〜１４は、コンテナ支持体デバイス１０との使用のためにコンテナ支持体本体の代替の実施形態を示す。図９〜１１に示される実施形態と同様に、このコンテナ支持体本体４１２は、本体３００に固定され、そしてその上に位置決めされる少なくとも１つのコンテナ支持体４１８を含む。例示の実施形態では、このコンテナ支持体本体４１２は、その中に形成されたコンテナ支持体チャネル４２０を含む。このコンテナ支持体チャネルは、その中にコンテナ支持体４１８の少なくとも一部分を受容するようなサイズであり得、そして、使用者によって、その中にこのコンテナ支持体４１８が選択的に移動および再位置決めされることを許容するような形態であり得る。例示の実施形態では、この支持体本体４１２中に形成されたコンテナ支持体チャネル４２０は、その中に少なくとも１つの移動可能な接続部材４２２を含む。接続ファスナー４２４は、接続部材４２２、コンテナ支持体４１８のいずれか、または両方に接続され得るか、または取付け可能であり得る。従って、このコンテナ支持体４１８は、その中に固定カプラー４２４を受容するようなサイズであるファスナー凹部４２６を含み得る。使用の間に、使用者は、接続部材４２２をコンテナ支持体４１２の所望の位置に位置決めし得る（図１２中の線ｌを参照のこと）。その後、使用者は、このコンテナ支持体４１８を接続部材４２２に接続し得、それによって、コンテナ支持体本体４１２を、コンテナ支持体４１８と接続部材４２２との間に圧縮し、そしてコンテナ支持体チャネル４２０内の接続部材４２２の動きを制限する。結果として、コンテナ支持体４１８は、使用者によって所望される位置でこのコンテナ支持体本体４１２に固定される。任意の数のコンテナ支持体４１８が、コンテナ支持体本体４１２上に位置決めされ得るか、またはそれに離脱可能に接続され得る。例えば、複数のコンテナ支持体４１８が、コンテナ支持体本体４１２上に位置決めされるとき、コンテナ支持体４１８は、一定または可変の幅、長さ、ピッチ、角度、または配向であり得る。例示の実施形態では、コンテナ支持体チャネル４２０は、コンテナ支持体本体４１２上で水平方向に位置決めされる。代替の実施形態では、コンテナ支持体本体４１２は、任意の、垂直方向に位置決めされたコンテナ支持体チャネル、水平方向に位置決めされたコンテナ支持体チャネル、所定角度で位置決めされたコンテナ支持体チャネル、または上記の任意の組み合わせを含み得る。
【００１９】
終わりに、コンテナ支持体デバイスの特定の例示の実施形態が本明細書中上記で説明されていることに注目すべきである。しかし、本発明のコンテナ支持体デバイスが、これらの特定の実施形態に限定されず、そして本明細書中上記で詳細に説明されたこの正確な実施形態に限定されないことは理解されるべきである。
【図面の簡単な説明】
【００２０】
【図１】図１は、取付け部材、この取付け部材に接続される接続部本体、およびこの接続部本体に接続されるコンテナ支持体本体を有するコンテナ支持体デバイスの実施形態の側面図を示す。
【図２】図２は、図３に示される線２−２に沿って見たときの、コンテナ支持体デバイスの取付け部材の実施形態の断面図を示す。
【図３】図３は、コンテナ支持体デバイスの取付け部材の実施形態の底面図である。
【図４】図４は、取付けられた第１の接続部材および第２の接続部材を有するコンテナ支持体デバイスの接続部本体の実施形態の側面図を示す。
【図５】図５は、図８に示される線５−５に沿って見たときの接続部本体の第１の接続部材の実施形態の断面図を示す。
【図６】図６は、接続部本体の第２の接続部材の実施形態の側面図である。
【図７】図７は、図６の線７−７に沿って見たときの接続部本体の第２の接続部材の実施形態の断面図を示す。
【図８】図８は、第２の接続部材に接続された支持体本体を有するコンテナ支持体デバイスの接続部本体の実施形態を示す。
【図９】図９は、接続されたコンテナ支持体を有するコンテナ支持体デバイスの支持体本体の実施形態の側面図を示す。
【図１０】図１０は、支持体本体のコンテナ支持体の実施形態の側面図を示し、ここで、このコンテナ支持体は、コンテナ支持体本体に回転不能に固定される。
【図１１】図１１は、支持体本体のコンテナ支持体の実施形態の側面図を示し、ここで、このコンテナ支持体は、コンテナ支持体本体に回転可能に固定される。
【図１２】図１２は、移動可能に接続されたコンテナ支持体を有するコンテナ支持体デバイスの支持体本体の実施形態の側面図を示す。
【図１３】図１３は、支持体本体上に形成されたコンテナ支持体チャネル内に位置決めされた接続部材を有するコンテナ支持体の実施形態の側面図を示す。
【図１４】図１４は、支持体本体のコンテナ支持体の実施形態を示し、ここで、２つのコンテナ支持体が互いに近接して位置決めされ、そして支持体本体に移動可能に接続される。
【図１】
2007506495.tif 000003
【図２】
2007506495.tif 000004
【図３】
2007506495.tif 000005
【図４】
2007506495.tif 000006
【図５】
2007506495.tif 000007
【図６】
2007506495.tif 000008
【図７】
2007506495.tif 000009
【図８】
2007506495.tif 000010
【図９】
2007506495.tif 000011
【図１０】
2007506495.tif 000012
【図１１】
2007506495.tif 000013
【図１２】
2007506495.tif 000014
【図１３】
2007506495.tif 000015
【図１４】
2007506495.tif 000016
【国際調査報告】
2007506495.tif 000017
2007506495.tif 000018